(57)【特許請求の範囲】
【請求項１】
矩形の表示操作画面を有し、画像表示する機能とタッチ操作される機能とを有するタッチパネルと、
前記タッチ操作により各々所定の機能を実行する複数の機能実行アイコンと前記タッチ操作により複数の前記機能実行アイコンを呼び出す機能呼出アイコンとを記憶するアイコン記憶手段と、
記憶されている前記機能呼出アイコンを前記タッチパネルの前記表示操作画面の四隅部分の少なくとも一つに画像表示させる呼出表示手段と、
画像表示された前記機能呼出アイコンのタッチ操作に対応して複数の前記機能実行アイコンを呼び出す機能呼出手段と、
呼び出された複数の前記機能実行アイコンを前記機能呼出アイコンが位置する前記四隅部分の一つに連通する前記表示操作画面の四辺部分の二つに配列させて画像表示させる機能表示手段と、
を有するデータ処理装置。
【請求項２】
前記アイコン記憶手段は、所定の上下高と左右幅とに画像表示される前記機能呼出アイコンを記憶し、
前記機能表示手段は、前記機能呼出アイコンが位置する前記四隅部分から前記機能呼出アイコンと同等な左右幅で上下方向に連通する前記四辺部分の一つに複数の前記機能実行アイコンを配列させて画像表示させるとともに前記機能呼出アイコンと同等な上下高で左右方向に連通する前記四辺部分の一つに複数の前記機能実行アイコンを配列させて画像表示させる請求項２に記載のデータ処理装置。
【請求項３】
前記機能表示手段は、複数の前記機能実行アイコンが配列されて画像表示される二つの前記四辺部分の一方に連通する他の前記四辺部分の一つにも複数の前記機能実行アイコンを配列させて画像表示する請求項１又は２に記載のデータ処理装置。
【請求項４】
前記アイコン記憶手段は、前記機能実行アイコンが画像表示される以前と以後とで表示画像が変化する前記機能呼出アイコンを記憶する請求項１ないし３の何れか一項に記載のデータ処理装置。
【請求項５】
前記表示操作画面の矩形の略全域に表示画像を前記画像表示させる画像表示手段と、
前記四辺部分に複数の前記機能実行アイコンが配列されて画像表示されると前記表示操作画面の矩形の残余部分に前記表示画像を縮小させて前記画像表示させる縮小表示手段と、
を有する請求項１ないし４の何れか一項に記載のデータ処理装置。
【請求項６】
前記呼出表示手段及び前記機能表示手段は、前記表示操作画面上における前記機能実行アイコン及び前記機能呼出アイコンが表示されていない残余部分の形状が、前記表示操作画面の形状と相似の形状となるように、前記機能実行アイコン及び前記機能呼出アイコンを前記表示操作画面上に表示する請求項１ないし５の何れか一項に記載のデータ処理装置。
【請求項７】
矩形の表示操作画面を有し、画像表示する機能とタッチ操作される機能とを有するタッチパネルを備えた装置のコンピュータを、
前記タッチ操作により各々所定の機能を実行する複数の機能実行アイコンと前記タッチ操作により複数の前記機能実行アイコンを呼び出す機能呼出アイコンとを記憶するアイコン記憶手段、
記憶されている前記機能呼出アイコンを前記タッチパネルの前記表示操作画面の四隅部分の少なくとも一つに画像表示させる呼出表示手段、
画像表示された前記機能呼出アイコンのタッチ操作に対応して複数の前記機能実行アイコンを呼び出す機能呼出手段、
呼び出された複数の前記機能実行アイコンを前記機能呼出アイコンが位置する前記四隅部分の一つに連通する前記表示操作画面の四辺部分の二つに配列させて画像表示させる機能表示手段、
として機能させるためのプログラム。
【請求項８】
矩形の表示操作画面を有し、画像表示する機能とタッチ操作される機能とを有するタッチパネルを備えた装置のコンピュータが、
前記タッチ操作により各々所定の機能を実行する複数の機能実行アイコンと前記タッチ操作により複数の前記機能実行アイコンを呼び出す機能呼出アイコンとを記憶しておき、
記憶されている前記機能呼出アイコンを前記タッチパネルの前記表示操作画面の四隅部分の少なくとも一つに画像表示させる呼出表示工程と、
画像表示された前記機能呼出アイコンのタッチ操作に対応して複数の前記機能実行アイコンを呼び出す機能呼出工程と、
呼び出された複数の前記機能実行アイコンを前記機能呼出アイコンが位置する前記四隅部分の一つに連通する前記表示操作画面の四辺部分の二つに配列させて画像表示させる機能表示工程と、
を実行する出た処理方法。
【発明の詳細な説明】
【技術分野】
【０００１】
本発明は、各種のデータ処理に利用されるデータ処理装置に関し、特に、タッチパネルで画像表示とタッチ操作とを実行するデータ処理装置、そのコンピュータプログラムおよびデータ処理方法に関する。
【背景技術】
【０００２】
現在、特に携帯型のＰＤＡや携帯電話端末などのデータ処理装置では、画像表示とタッチ操作とを実行できるタッチパネルが多用されている。このようなタッチパネルを利用したデータ処理装置として各種の提案がある。【０００３】
例えば、多機能であってもユーザが操作し易く分かり易いタッチパネル等を含んだ操作表示ユニット、操作表示方法、及び操作表示用プログラムを提供する発明が出願されている。【０００４】
そのデータ処理装置は、画像形成装置のアイコンやキーを表示するとともに、利用者からの操作により動作条件の設定を受け付ける操作表示ユニットであって、アイコン等を表示するタッチパネルと、所定のアイコン等を表示する基本画面と、この基本画面に表示されている所定の動作条件項目よりも少ない数のアイコン等を表示する簡単画面とを切り換えてタッチパネルに表示する（例えば、特許文献１参照）。【０００５】
また、表示画面を有効利用しつつ、例えば機能設定メニューを簡単に呼び出して、機能設定を円滑にかつ迅速に行う発明も出願されている。そのデータ処理装置では、制御部は、主表示部に待受画面を表示させた状態で、表示画面の上縁部領域には、ダイヤルロック／シークレットモード設定通知アイコン等を表示させ、表示画面の下縁部領域には、バイブレータ設定通知アイコン等を表示させる。【０００６】
ユーザが、カーソルキーを操作して、例えば、バイブレータ設定通知アイコンを選択し、決定キーを押下すると、制御部は、主表示部にバイブレータ設定メニューを表示させる。【０００７】
ここで、ユーザが、カーソルキーを操作して、例えば、オフを選択し、決定キーを押下すると、制御部は、記憶部に記憶された設定内容を書き換える（例えば、特許文献２参照）。
【先行技術文献】
【特許文献】
【０００８】
【特許文献１】特開２００７−１８１９９３号公報
【特許文献２】特開２００３−２９８７１５号公報
【発明の概要】
【０００９】
しかし、従来のデータ処理装置では、特定の機能を簡単に利用できるようにするためには、その機能が登録されている機能実行アイコンをタッチパネルの表示操作画面に画像表示させておくことになる。
【００１０】
そして、特に携帯型のデータ処理装置の小型のタッチパネルなどで、その表示操作画面に多数の機能実行アイコンを事前に画像表示させておくと、各種処理の画像表示が阻害されることになる。
【００１１】
本発明は上述のような課題に鑑みてなされたものであり、複数の機能実行アイコンを迅速かつ簡単に利用することができ、それでいて各種処理の画像表示を阻害することが最小限となるデータ処理装置、そのコンピュータプログラムおよびデータ処理方法、を提供するものである。
【００１２】
本発明のデータ処理装置は、画像表示する機能とタッチ操作される機能とを有する表示操作画面が矩形のタッチパネルと、タッチ操作により各々所定の機能を実行する複数の機能実行アイコンとタッチ操作により複数の機能実行アイコンを呼び出す機能呼出アイコンとを記憶するアイコン記憶手段と、記憶されている機能呼出アイコンをタッチパネルの表示操作画面の四隅部分の少なくとも一つに画像表示させる呼出表示手段と、画像表示された機能呼出アイコンのタッチ操作に対応して複数の機能実行アイコンを呼び出す機能呼出手段と、呼び出された複数の機能実行アイコンを機能呼出アイコンが位置する四隅部分に連通する表示操作画面の四辺部分の少なくとも一つに配列させて画像表示させる機能表示手段と、を有する。
【００１３】
本発明のコンピュータプログラムは、本発明のデータ処理装置のコンピュータプログラムであって、タッチ操作により各々所定の機能を実行する複数の機能実行アイコンとタッチ操作により複数の機能実行アイコンを呼び出す機能呼出アイコンとを記憶するアイコン記憶処理と、記憶されている機能呼出アイコンをタッチパネルの表示操作画面の四隅部分の少なくとも一つに画像表示させる呼出表示処理と、画像表示された機能呼出アイコンのタッチ操作に対応して複数の機能実行アイコンを呼び出す機能呼出処理と、呼び出された複数の機能実行アイコンを機能呼出アイコンが位置する四隅部分に連通する表示操作画面の四辺部分の少なくとも一つに配列させて画像表示させる機能表示処理と、をデータ処理装置に実行させる。
【００１４】
本発明のデータ処理方法は、本発明のデータ処理装置のデータ処理方法であって、タッチ操作により各々所定の機能を実行する複数の機能実行アイコンとタッチ操作により複数の機能実行アイコンを呼び出す機能呼出アイコンとを記憶するアイコン記憶動作と、記憶されている機能呼出アイコンをタッチパネルの表示操作画面の四隅部分の少なくとも一つに画像表示させる呼出表示動作と、画像表示された機能呼出アイコンのタッチ操作に対応して複数の機能実行アイコンを呼び出す機能呼出動作と、呼び出された複数の機能実行アイコンを機能呼出アイコンが位置する四隅部分に連通する表示操作画面の四辺部分の少なくとも一つに配列させて画像表示させる機能表示動作と、を有する。
【００１５】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００１６】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１７】
また、本発明のコンピュータプログラムおよびデータ処理方法は、複数の処理および動作を順番に記載してあるが、その記載の順番は複数の処理および複数の動作を実行する順番を限定するものではない。
【００１８】
このため、本発明のコンピュータプログラムおよびデータ処理方法を実施するときには、その複数の処理および複数の動作の順番は内容的に支障しない範囲で変更することができる。
【００１９】
さらに、本発明のコンピュータプログラムおよびデータ処理方法は、複数の処理および複数の動作が個々に相違するタイミングで実行されることに限定されない。このため、ある処理および動作の実行中に他の処理および動作が発生すること、ある処理および動作の実行タイミングと他の処理および動作の実行タイミングとの一部ないし全部が重複していること、等でもよい。
【００２０】
さらに、本発明で云う「データを記憶する」とは、本発明のデータ処理装置が、少なくともデータを記憶する機能を有することを意味している。このため、本発明のデータ処理装置がコンシューマにより新規に登録されるデータを記憶することの他、サプライヤにより製造時に登録されたデータを記憶して出荷後にはコンシューマにより新規のデータが登録されないことも許容する。
【００２１】
さらに、本発明では上下左右の方向を規定しているが、これは本発明の構成要素の相対関係を簡単に説明するために便宜的に規定したものであり、本発明を実施する場合の製造時や使用時の方向を限定するものではない。
【００２２】
また、本発明で云うデータ処理装置は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
【００２３】
なお、本発明でコンピュータプログラムに対応した各種動作をデータ処理装置に実行させることは、各種デバイスをデータ処理装置に動作制御させることなども意味している。
【００２４】
本発明のデータ処理装置では、表示操作画面が矩形のタッチパネルが画像表示する機能とタッチ操作される機能とを有する。タッチ操作により各々所定の機能を実行する複数の機能実行アイコンとタッチ操作により複数の機能実行アイコンを呼び出す機能呼出アイコンとをアイコン記憶手段が記憶する。記憶されている機能呼出アイコンをタッチパネルの表示操作画面の四隅部分の少なくとも一つに呼出表示手段が画像表示させる。画像表示された機能呼出アイコンのタッチ操作に対応して複数の機能実行アイコンを機能呼出手段が呼び出す。呼び出された複数の機能実行アイコンを機能呼出アイコンが位置する四隅部分に連通する表示操作画面の四辺部分の少なくとも一つに機能表示手段が配列させて画像表示させる。このため、画像表示される複数の機能実行アイコンが表示操作画面の表示画像を阻害する割合を最小限とすることができる。
【図面の簡単な説明】
【００２５】
上述した目的、および、その他の目的、特徴および利点は、以下に述べる好適な実施の形態、および、それに付随する以下の図面によって、さらに明らかになる。【００２６】
【図１】本発明の実施の形態のデータ処理システムの論理構造を示す模式的なブロック図である。
【図２】タッチパネルの表示操作画面に各種処理の表示画像と機能呼出アイコンとが画像表示された状態を示す模式的な正面図である。
【図３】タッチパネルの表示操作画面に画像表示されている機能呼出アイコンがタッチ操作される状態を示す模式的な正面図である。
【図４】タッチパネルの表示操作画面に複数の機能実行アイコンが画像表示されてタッチ操作される状態を示す模式的な正面図である。
【図５】タッチパネルの表示操作画面に複数の機能実行アイコンが画像表示された状態で機能呼出アイコンがタッチ操作される状態を示す模式的な正面図である。
【図６】データ処理装置によるデータ処理方法を示すフローチャートである。
【発明を実施するための形態】
【００２７】
本発明の実施の一形態を図面を参照して以下に説明する。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００２８】
本実施の形態のデータ処理装置１００は、図１に示すように、画像表示する機能とタッチ操作される機能とを有する表示操作画面１１１が矩形のタッチパネル１１０と、タッチ操作により各々所定の機能を実行する複数の機能実行アイコンＦＡＩとタッチ操作により複数の機能実行アイコンＦＡＩを呼び出す機能呼出アイコンＦＣＩとを記憶するアイコン記憶部１２０と、図２および図３に示すように、記憶されている機能呼出アイコンＦＣＩをタッチパネル１１０の表示操作画面１１１の四隅部分の少なくとも一つに画像表示させる呼出表示部１３０と、画像表示された機能呼出アイコンＦＣＩのタッチ操作に対応して複数の機能実行アイコンＦＡＩを呼び出すアイコン呼出部１４０と、図４および図５に示すように、呼び出された複数の機能実行アイコンＦＡＩを機能呼出アイコンＦＣＩが位置する四隅部分に連通する表示操作画面１１１の四辺部分の少なくとも一つに配列させて画像表示させる機能表示部１５０と、を有する。
【００２９】
より詳細には、機能表示部１５０は、図４および図５に示すように、機能呼出アイコンＦＣＩが位置する四隅部分の一つに連通する四辺部分の二つに複数の機能実行アイコンＦＡＩを配列させて画像表示する。
【００３０】
また、アイコン記憶部１２０は、所定の上下高と左右幅とに画像表示される機能呼出アイコンＦＣＩを記憶し、機能表示部１５０は、機能呼出アイコンＦＣＩが位置する四隅部分から機能呼出アイコンＦＣＩと同等な左右幅で上下方向に連通する四辺部分の一つに複数の機能実行アイコンＦＡＩを配列させて画像表示させるとともに、機能呼出アイコンＦＣＩと同等な上下高で左右方向に連通する四辺部分の一つに複数の機能実行アイコンＦＡＩを配列させて画像表示させる。
【００３１】
なお、詳細には後述するが、アイコン記憶部１２０は、機能実行アイコンＦＡＩが画像表示される以前と以後とで表示画像が変化する機能呼出アイコンＦＣＩを記憶する。
【００３２】
より具体的には、本実施の形態のデータ処理装置１００は、例えば、携帯電話端末、ＰＤＡ(Personal Digital Assistance)、電子辞書、などの携帯電子端末として形成されている。
【００３３】
このため、全体を小型化するとともに多機能化するため、画像表示するタッチパネル１１０でタッチ操作も可能とされている。なお、本実施の形態のデータ処理装置１００は、小型のタッチパネル１１０を正確にタッチ操作するため、例えば、図３等に示すように、スタイラス１６０も用意されている。
【００３４】
本実施の形態のデータ処理装置１００は、上述したタッチパネル１１０などの他、コンピュータユニットやメモリデバイスなどもハードウェアとして有する(図示せず)。そのコンピュータユニットにはコンピュータプログラムが実装されており、このコンピュータプログラムに対応してコンピュータユニットがタッチパネル１１０などを統合制御することにより、前述のような各部が各種機能として論理的に実現されている。
【００３５】
このようなデータ処理装置１００のコンピュータプログラムは、例えば、タッチ操作により各々所定の機能を実行する複数の機能実行アイコンＦＡＩとタッチ操作により複数の機能実行アイコンＦＡＩを呼び出す機能呼出アイコンＦＣＩとを記憶するアイコン記憶処理と、機能呼出アイコンＦＣＩをタッチパネル１１０の表示操作画面１１１の四隅部分の少なくとも一つに画像表示させる呼出表示処理と、機能呼出アイコンＦＣＩのタッチ操作に対応して複数の機能実行アイコンＦＡＩを呼び出すアイコン呼出処理と、呼び出された複数の機能実行アイコンＦＡＩを機能呼出アイコンＦＣＩが位置する四隅部分に連通する表示操作画面１１１の四辺部分の少なくとも一つに配列させて画像表示させる機能表示処理と、をデータ処理装置１００に実行させるように記述されている。
【００３６】
上述のような構成において、本実施の形態のデータ処理装置１００は、前述のように携帯型に形成されている。そこで、利用者(図示せず)が携帯するデータ処理装置１００を起動すると、図６に示すように、機能呼出アイコンＦＣＩが読み出され(ステップＳ１)、図２に示すように、タッチパネル１１０の表示操作画面１１１の四隅部分の一つである右下に画像表示される(ステップＳ２)。
【００３７】
このように画像表示される機能呼出アイコンＦＣＩは、例えば、図示するように、「ツール」などと画像表示され、各種ツールの機能実行アイコンＦＡＩを呼び出せることが直感的に理解される。
【００３８】
この状態では、タッチパネル１１０の表示操作画面１１１の略全域が空白とされており、画像表示とタッチ操作を実行することができる。そこで、利用者が機能呼出アイコンＦＣＩが画像表示されていない部分を利用して、例えば、各種のタッチ操作を実行すると(ステップＳ３−Ｙ)、図２に示すように、画像表示などの各種処理が実行される(ステップＳ４)。
【００３９】
この状態では、タッチパネル１１０の表示操作画面１１１の略全域が各種処理に利用されることになる。このような状態で、例えば、機能実行アイコンＦＡＩにより実行される特定の機能を利用したい場合は、図３に示すように、タッチパネル１１０の表示操作画面１１１の右下の機能呼出アイコンＦＣＩをタッチ操作する(ステップＳ５−Ｙ)。
【００４０】
すると、事前に設定されている複数の機能実行アイコンＦＡＩが呼び出され(ステップＳ６)、図４に示すように、機能呼出アイコンＦＣＩの位置から上方と左方とに配列されて画像表示される(ステップＳ７)。
【００４１】
このとき、前述のように各種処理の画像表示などに利用されていたタッチパネル１１０の表示操作画面１１１が、上述のように複数の機能実行アイコンＦＡＩの画像表示にも利用されることになる。
【００４２】
しかし、上述のように複数の機能実行アイコンＦＡＩは、タッチパネル１１０の表示操作画面１１１の右辺部分と下辺部分とに配列されて画像表示される。このため、タッチパネル１１０の表示操作画面１１１は依然として略全域を各種処理の画像表示に利用することができ、表示されていた画像も、ほとんど阻害されることがない。
【００４３】
このような状態で、画像表示された機能実行アイコンＦＡＩがタッチ操作されると(ステップＳ８−Ｙ)、それに対応した特定の機能が実行される(ステップＳ９)。このようなタッチ操作は、前述のスタイラス１６０でも手指でも実行される。
【００４４】
上述のように機能実行アイコンＦＡＩが画像表示された状態では、例えば、図示するように、機能呼出アイコンＦＣＩは「閉じる」などと画像表示され、機能実行アイコンＦＡＩを消去できることが直感的に理解される。
【００４５】
そこで、前述のように機能実行アイコンＦＡＩをタッチ操作して各種機能を利用した利用者が、図５に示すように、機能呼出アイコンＦＣＩを再度タッチ操作すると(ステップＳ１０−Ｙ)、図２に示すように、上述のように画像表示されていた複数の機能実行アイコンＦＡＩが消去される(ステップＳ１１)。
【００４６】
従って、タッチパネル１１０の表示操作画面１１１の略全域が各種処理に再度利用される状態となり、例えば、機能実行アイコンＦＡＩにより画像表示が阻害されていた表示画像も、再度全体が画像表示されることになる。
【００４７】
これで機能呼出アイコンＦＣＩおよび機能実行アイコンＦＡＩは初期状態に復帰したことになるので、例えば、所定操作によりデータ処理装置１００が終了されるまで(ステップＳ１２−Ｙ)、上述のような処理動作を繰り返すことができる。
【００４８】
本実施の形態のデータ処理装置１００では、上述のようにタッチ操作により各々所定の機能を実行する複数の機能実行アイコンＦＡＩとタッチ操作により複数の機能実行アイコンＦＡＩを呼び出す機能呼出アイコンＦＣＩとをアイコン記憶部１２０が記憶する。
【００４９】
このように記憶されている機能呼出アイコンＦＣＩをタッチパネル１１０の表示操作画面１１１の四隅部分の少なくとも一つに呼出表示部１３０が画像表示させる。このように画像表示された機能呼出アイコンＦＣＩのタッチ操作に対応して複数の機能実行アイコンＦＡＩをアイコン呼出部１４０が呼び出す。
【００５０】
この呼び出された複数の機能実行アイコンＦＡＩを機能呼出アイコンＦＣＩが位置する四隅部分に連通する表示操作画面１１１の四辺部分の少なくとも一つに機能表示部１５０が配列させて画像表示させる。
【００５１】
このため、画像表示される複数の機能実行アイコンＦＡＩが表示操作画面１１１の表示画像を阻害する割合を最小限とすることができる。従って、タッチパネル１１０の表示操作画面１１１の略全域を利用しながら、複数の機能実行アイコンＦＡＩで各種機能を利用することができる。
【００５２】
特に、機能表示部１５０は、機能呼出アイコンＦＣＩが位置する四隅部分の一つに連通する四辺部分の二つに複数の機能実行アイコンＦＡＩを配列させて画像表示する。従って、タッチパネル１１０の矩形の表示操作画面１１１の二辺に複数の機能実行アイコンＦＡＩが配列されて画像表示されることになる。
【００５３】
このため、機能実行アイコンＦＡＩが画像表示された状態の残余部分も、画像表示される以前と相似の矩形とすることができる。従って、例えば、表示操作画面１１１の矩形の略全域に表示画像を画像表示させておき、四辺部分に複数の機能実行アイコンＦＡＩが配列されて画像表示されると表示操作画面１１１の矩形の残余部分に表示画像を縮小させて画像表示させるようなことも想定できる(図示せず)。
【００５４】
さらに、アイコン記憶部１２０は、所定の上下高と左右幅とに画像表示される機能呼出アイコンＦＣＩを記憶し、機能表示部１５０は、機能呼出アイコンＦＣＩが位置する四隅部分から機能呼出アイコンＦＣＩと同等な左右幅で上下方向に連通する四辺部分の一つに複数の機能実行アイコンＦＡＩを配列させて画像表示させるとともに、機能呼出アイコンＦＣＩと同等な上下高で左右方向に連通する四辺部分の一つに複数の機能実行アイコンＦＡＩを配列させて画像表示させる。
【００５５】
このため、機能実行アイコンＦＡＩを画像表示させていない状態でも、機能実行アイコンＦＡＩが画像表示される領域を直感的に予測することができる。従って、機能実行アイコンＦＡＩを画像表示させるときには、図３および図４に示すように、機能実行アイコンＦＡＩが画像表示されても阻害されない位置に、各種処理の表示画像を事前に配置しておくようなことができる。
【００５６】
さらに、機能呼出アイコンＦＣＩは、機能実行アイコンＦＡＩが画像表示される以前と以後とで表示画像が変化する。より具体的には、機能呼出アイコンＦＣＩは、機能実行アイコンＦＡＩが画像表示される以前は、図２および図３に示すように、「ツール」などと画像表示されるので、各種ツールの機能実行アイコンＦＡＩを呼び出せることを利用者は直感的に理解させることができる。
【００５７】
一方、機能呼出アイコンＦＣＩは、機能実行アイコンＦＡＩが画像表示されて以後は、図４および図５に示すように、「閉じる」などと画像表示されるので、機能実行アイコンＦＡＩを消去できることを利用者に直感的に理解させることができる。
【００５８】
なお、本発明は本実施の形態に限定されるものではなく、その要旨を逸脱しない範囲で各種の変形を許容する。例えば、上記形態ではデータ処理装置１００が携帯型に形成されていることを例示したが、携帯型ではないデータ処理装置１００も実施することができる。
【００５９】
また、上記形態ではタッチパネル１１０の矩形の表示操作画面１１１の四隅の一つに機能呼出アイコンＦＣＩが画像表示されることを例示した。しかし、複数の機能呼出アイコンＦＣＩがタッチパネル１１０の表示操作画面１１１の四隅の複数に個々に画像表示されてもよい。
【００６０】
さらに、上記形態では機能呼出アイコンＦＣＩが位置する四隅部分の一つに連通する四辺部分の二つに複数の機能実行アイコンＦＡＩが配列されて画像表示されることを例示した。
【００６１】
しかし、機能呼出アイコンＦＣＩが位置する四隅部分の一つに連通する四辺部分の一つのみに複数の機能実行アイコンＦＡＩが配列されて画像表示されてもよい(図示せず)。
【００６２】
また、複数の機能実行アイコンＦＡＩが配列されて画像表示される二つの四辺部分の一方に連通する四辺部分の一つにも複数の機能実行アイコンＦＡＩが配列されて画像表示されてもよい。
【００６３】
この場合、一般的にコ字型やＵ字型などと呼称されるような表示操作画面１１１の連続する三辺部分に、複数の機能実行アイコンＦＡＩが配列されて画像表示されることになる(図示せず)。
【００６４】
さらに、本実施の形態ではデータ処理装置１００の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００６５】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
以下、参考形態の例を付記する。
１．  画像表示する機能とタッチ操作される機能とを有する表示操作画面が矩形のタッチパネルと、
前記タッチ操作により各々所定の機能を実行する複数の機能実行アイコンと前記タッチ操作により複数の前記機能実行アイコンを呼び出す機能呼出アイコンとを記憶するアイコン記憶手段と、
記憶されている前記機能呼出アイコンを前記タッチパネルの前記表示操作画面の四隅部分の少なくとも一つに画像表示させる呼出表示手段と、
画像表示された前記機能呼出アイコンのタッチ操作に対応して複数の前記機能実行アイコンを呼び出す機能呼出手段と、
呼び出された複数の前記機能実行アイコンを前記機能呼出アイコンが位置する前記四隅部分に連通する前記表示操作画面の四辺部分の少なくとも一つに配列させて画像表示させる機能表示手段と、
を有するデータ処理装置。
２．  前記機能表示手段は、前記機能呼出アイコンが位置する前記四隅部分の一つに連通する前記四辺部分の二つに複数の前記機能実行アイコンを配列させて画像表示する１に記載のデータ処理装置。
３．  前記アイコン記憶手段は、所定の上下高と左右幅とに画像表示される前記機能呼出アイコンを記憶し、
前記機能表示手段は、前記機能呼出アイコンが位置する前記四隅部分から前記機能呼出アイコンと同等な左右幅で上下方向に連通する前記四辺部分の一つに複数の前記機能実行アイコンを配列させて画像表示させるとともに前記機能呼出アイコンと同等な上下高で左右方向に連通する前記四辺部分の一つに複数の前記機能実行アイコンを配列させて画像表示させる２に記載のデータ処理装置。
４．  前記機能表示手段は、複数の前記機能実行アイコンが配列されて画像表示される二つの前記四辺部分の一方に連通する前記四辺部分の一つにも複数の前記機能実行アイコンを配列させて画像表示する１ないし３の何れかに記載のデータ処理装置。
５．  前記アイコン記憶手段は、前記機能実行アイコンが画像表示される以前と以後とで表示画像が変化する前記機能呼出アイコンを記憶する１ないし４の何れかに記載のデータ処理装置。
６．  前記表示操作画面の矩形の略全域に表示画像を前記画像表示させる画像表示手段と、
前記四辺部分に複数の前記機能実行アイコンが配列されて画像表示されると前記表示操作画面の矩形の残余部分に前記表示画像を縮小させて前記画像表示させる縮小表示手段と、
を有する１ないし５の何れかに記載のデータ処理装置。
７．  １ないし６の何れかに記載のデータ処理装置のコンピュータプログラムであって、
前記タッチ操作により各々所定の機能を実行する複数の機能実行アイコンと前記タッチ操作により複数の前記機能実行アイコンを呼び出す機能呼出アイコンとを記憶するアイコン記憶処理と、
記憶されている前記機能呼出アイコンを前記タッチパネルの前記表示操作画面の四隅部分の少なくとも一つに画像表示させる呼出表示処理と、
画像表示された前記機能呼出アイコンのタッチ操作に対応して複数の前記機能実行アイコンを呼び出す機能呼出処理と、
呼び出された複数の前記機能実行アイコンを前記機能呼出アイコンが位置する前記四隅部分に連通する前記表示操作画面の四辺部分の少なくとも一つに配列させて画像表示させる機能表示処理と、
をデータ処理装置に実行させるコンピュータプログラム。
８．  １ないし６の何れかに記載のデータ処理装置のデータ処理方法であって、
前記タッチ操作により各々所定の機能を実行する複数の機能実行アイコンと前記タッチ操作により複数の前記機能実行アイコンを呼び出す機能呼出アイコンとを記憶するアイコン記憶動作と、
記憶されている前記機能呼出アイコンを前記タッチパネルの前記表示操作画面の四隅部分の少なくとも一つに画像表示させる呼出表示動作と、
画像表示された前記機能呼出アイコンのタッチ操作に対応して複数の前記機能実行アイコンを呼び出す機能呼出動作と、
呼び出された複数の前記機能実行アイコンを前記機能呼出アイコンが位置する前記四隅部分に連通する前記表示操作画面の四辺部分の少なくとも一つに配列させて画像表示させる機能表示動作と、
を有するデータ処理方法。
【００６６】
この出願は、２００９年  ４月１３日に出願された日本出願特願２００９−０９６９７９号を基礎とする優先権を主張し、その開示の全てを、ここに取り込む。
【図１】
0005533859.tif 000002
【図２】
0005533859.tif 000003
【図３】
0005533859.tif 000004
【図４】
0005533859.tif 000005
【図５】
0005533859.tif 000006
【図６】
0005533859.tif 000007